(57)【要約】【課題】  ドーム状建物の開口部構造を、建物全体に調和した簡素な構成で、組立や撤去も容易に行えるように構成する。【解決手段】  空気封入される三角形状の外殻パネルを面ファスナで接合した殻構造のドーム状建物において、次の構成とする。外殻パネルの一部を開口部外殻パネル２Ａとし、この開口部外殻パネル２Ａに回転窓１５を設ける。この回転窓１５の窓枠１７と戸１９とに、互いに接合されて戸１９の閉じ状態を保つ面ファスナ９を設ける。回転窓１５の代わりに、出入り口となる開き戸を設けても良い。【選択図】      図６
2006083700.tif 000002
【特許請求の範囲】
【請求項１】
三角形状に多数の外殻パネルを並べてこれら外殻パネルの隣合う各辺を相互に接合し、この接合を面ファスナで行う殻構造のドーム状建物において、一部の外殻パネルを開口部外殻パネルとし、この開口部外殻パネルに回転窓を設け、この回転窓の窓枠と戸とに、互いに接合されて戸の閉じ状態を保つ面ファスナを設けたドーム状建物の開口部構造。
【請求項２】
前記ドーム状建物の各外殻パネルが、内部に空気を封入することで所定厚さに膨らむ袋体であって、前記開口部外殻パネルの窓開口を除く部分を、内部に空気を封入することで所定厚さに膨らむ袋体とした請求項１記載のドーム状建物の開口部構造。
【請求項３】
前記窓開口に、窓の戸が内部で回転可能な半球状の網戸を設けた請求項１または請求項２記載のドーム状建物の開口部構造。
【請求項４】
三角形状の多数の外殻パネルを並べてこれら外殻パネルの隣合う各辺を相互に接合し、この接合を面ファスナで行う殻構造のドーム状建物において、一部の外殻パネルを開口部外殻パネルとし、この開口部外殻パネルは、上向き三角形の両側辺となる逆Ｖ字状の開口枠と、この開口枠に開閉回動自在に取付けられた両開き戸とを有し、その両側の戸を断熱性のある材質のものとし、両側の戸の合わさり部で、一方の戸に把手を設け、この把手と他方の戸とに、互いに接合される面ファスナを設けたドーム状建物の開口部構造。
【請求項５】
前記把手の面ファスナの形成面を、把手の先端側が次第に他方の戸から離れる曲面とした請求項４記載のドーム状建物の開口部構造。
【請求項６】
前記ドーム状建物の各外殻パネルが、内部に空気を封入することで所定厚さに膨らむ袋体である請求項４または請求項５記載のドーム状建物の開口部構造。
【発明の詳細な説明】
【技術分野】
【０００１】
この発明は、バンガロー，コテージ等のレジャー用建物や、店舗、イベント会場用建物、あるいはフラワードーム等に応用されるドーム状建物の開口部構造に関する。
【背景技術】
【０００２】
コテージ、店舗、イベント会場、フラワードーム等の建物として、三角形状の面材部材を半球状に組み立てた殻構造のドーム状建物が提案されている。この種のドーム状建物は、構成が簡素で、その幾何学的外観が美麗なことから、近年構築が増えつつある。
【発明の開示】
【発明が解決しようとする課題】
【０００３】
しかし、この殻構造のドーム状建物においても、窓や出入り口等の開口は、一般的な建物と同様な構造であり、建物全体の簡素化に応じた簡素な構造のものとはなっていない。そのため、開口周辺の構築や撤去に手間がかかっている。
また、従来のこの種のドーム状建物は、いずれも一般には固定的に設置されるものであり、組立性や撤去性、運搬性についてはあまり考慮されていない。そのため、短期使用を目的とした仮設用建物等については、応用が難しい。
【０００４】
設増性や撤収性を高めた仮設用建物としては、大型テントや、室内の空気圧で膨らみ状態に保つ一重膜構造のドーム状建物があるが、前記テントでは居住性が悪く、また一重膜構造のドーム状建物は、その内圧を保つために、開閉可能な窓を設けることができず、出入り口にも特殊な構成が必要となる。
これらの課題を解消するものとして、本出願人は、前記三角形状の面材部材を、空気の封入で所定厚さに膨らむ袋体とし、これら面材部材を面ファスナで接合するものを試みた。しかし、その開口部構造について、構造の簡素化や、組立性、撤去性等につき、十分でなかった。
【０００５】
この発明は、このような課題を解消するものであり、容易に組立や撤去ができる簡素な構成のドーム状建物の開口部構造を提供することを目的とする。
この発明の他の目的は、袋体からなる外殻パネルを用いたドーム状建物との調和が図れる簡素な構成の開口部構造を提供することである。
【課題を解決するための手段】
【０００６】
この発明の請求項１記載のドーム状建物の開口部構造は、三角形状に多数の外殻パネルを並べてこれら外殻パネルの隣合う各辺を相互に接合し、この接合を面ファスナで行う殻構造のドーム状建物において、以下の構成としたものである。すなわち、一部の外殻パネルを開口部外殻パネルとし、この開口部外殻パネルに回転窓を設け、この回転窓の窓枠と戸とに、互いに接合されて戸の閉じ状態を保つ面ファスナを設ける。
この構成によると、開口部外殻パネルを設け、隣の外殻パネルと面ファスナで接合するようにしたため、ドーム状建物の任意の箇所に回転窓を容易に設けることができ、撤去も容易に行うことができる。また、回転窓の窓枠に対する戸の閉じ状態を、面ファスナの接合によって保つので、閉じ状態を保つ構造も簡単なものとなる。
【０００７】
前記構成において、前記ドーム状建物の各外殻パネルを、内部に空気を封入することで所定厚さに膨らむ袋体とし、前記開口部外殻パネルの窓開口を除く部分を、内部に空気を封入することで所定厚さに膨らむ袋体としてもよい。
このように袋体の外殻パネルを接合してドーム状建物とすると、二重膜構造の外殻となるため、一重膜構造のドーム状建物と異なり、室内の空気圧の問題がなく、窓開口を自由に設けることができる。この場合に、開口部外殻パネルの窓開口を除く部分を、内部に空気を封入することで所定厚さに膨らむ袋体とすると、開口部外殻パネルと周囲の無開口の外殻パネルとで、パネル間の接合部の構成を共通な構成とでき、無開口の外殻パネルとの互換性が得られ、一層簡単にドーム状建物の任意箇所に窓開口を設けることができる。
これらの構成の外殻パネルにおいて、前記窓開口に、窓の戸が内部で回転可能な半球状の網戸を設けてもよい。この構成によると、網戸を開閉することなく、回転窓を全開状態に開くことができる。
【０００８】
また、請求項４の発明のドーム状建物の開口部構造は、三角形状の多数の外殻パネルを並べてこれら外殻パネルの隣合う各辺を相互に接合し、この接合を面ファスナで行う殻構造のドーム状建物において、以下の構造としたものである。すなわち、一部の外殻パネルを開口部外殻パネルとし、この開口部外殻パネルは、上向き三角形の両側辺となる逆Ｖ字状の開口枠と、この開口枠に開閉回動自在に取付けられた両開き戸とを有するものとする。その両側の戸は断熱性のある材質のものとし、両側の戸の合わさり部で、一方の戸に把手を設ける。この把手と他方の戸とには、互いに接合される面ファスナを設ける。
この構成によると、ドーム状建物の一部の外殻パネルに代えて、前記開口部外殻パネルを用いることにより、簡単に出入り口となる開口を設けることができる。開口部外殻パネルは、逆Ｖ字状の開口枠と両開き戸とで構成されるため、構成が簡素であり、また両側の外殻パネルに接合されることで開口枠が補強されるため、開口枠にあまり強度が要求されず、これによっても簡素な構成となる。さらに、両開き戸の閉じ状態を、把手に設けられた面ファスナの接合により保つので、閉じ状態を保つ構造も簡単なものとなる。このため、袋体の外殻パネルを用いるドーム状建物に対して、全体に調和のとれた簡素な構成の開口構造となる。
【０００９】
前記構成において、前記把手の面ファスナの形成面を、把手の先端側が次第に他方の戸から離れる曲面としてもよい。この構成の場合、前記曲面のため、把手を引くことで、面ファスナが一側から次第に外れて行き、そのため軽い力で両開き戸を開くことができる。
【発明の効果】
【００１０】
この発明の請求項１記載の開口部構造は、三角形状の外殻パネルを面ファスナで接合する殻構造のドーム状建物において、一部の外殻パネルを開口部外殻パネルとし、この開口部外殻パネルに回転窓を設け、この回転窓の窓枠と戸とに、互いに接合されて戸の閉じ状態を保つ面ファスナを設けたため、簡素な構成のドーム状建物に対して調和のとれた簡単な構成の開口部を容易に形成でき、また撤去も容易に行える。しかも、回転窓の窓枠に対する戸の閉じ状態を、面ファスナの接合によって保つので、閉じ状態を保つ構造も簡単なものとなる。
特に、各外殻パネルを、内部に空気を封入することで所定厚さに膨らむ袋体とし、前記開口部外殻パネルの窓開口を除く部分を空気封入で所定厚さに膨らむ袋体とした場合は、開口部を含むドーム状建物の全体を一層簡単な構成で、運搬や、組立、撤去性に優れたものとできる。また、空気封入を行う簡素な構成のドーム状建物でありながら、二重膜構造とするため、建物の任意箇所に開口を設けることができる。
請求項４の発明のドーム状建物の開口部構造は、逆Ｖ字形状の開口枠および両開き戸を有する開口部外殻パネルを設け、両側の戸を互いに閉じ状態に接合する面ファスナを把手に設けたたため、三角形状の外殻パネルを接合するドーム状建物において、簡素な構成の大きな出入り口を設けることができ、かつ閉じ状態を保つ構造も簡単なものとなる。
前記把手の面ファスナの形成面を、把手の先端側が次第に他方の戸から離れる曲面とした場合は、面ファスナによる両開き戸の接合および接合解除を円滑に行うことができる。
【発明を実施するための最良の形態】
【００１１】
この発明の一実施形態を図１ないし図１２と共に説明する。
図１（Ａ）〜（Ｃ）はこの実施形態に係る開口部構造を有するドーム状建物の水平断面図、縦断面図および上半部外観図である。このドーム状建物１は、三角形状の多数の外殻パネル２を半球状に並べて隣合う各辺を外殻パネル間継手３で相互に接合した殻構造のものである。各外殻パネル２は、内部に空気を封入することで所定厚さに膨らむ袋体としてある。また、隣合う外殻パネル２，２間は、図２（Ｂ）に示すように連通チューブ４で相互に連通させてある。連通チューブ４は外殻パネル２に着脱自在としてもよい。地面に近く配置される一つまたは複数の外殻パネル２には、給気チューブ５を介して給気ポンプ６を接続する。給気チューブ５も外殻パネル２に着脱可能とする。
【００１２】
前記外殻パネル２は、図２（Ｂ）のように袋体を構成する二重の膜部２ａ，２ａの間に、これら膜部２ａ，２ａの最大間隔を規制する引張糸７を密生状態に設けたものとする。また、袋体の片面または両面には、断熱材８を重ねて設ける。断熱材８としては、グラスウール，ポリエチレン樹脂，または発泡ポリスチレン、発泡ポリウレタン等の発泡樹脂を使用する。外殻パネル間継手４は、外殻パネル２の外周の端面に一部が外殻パネル２の表面から突出するように設けられた面ファスナ９で、隣合う外殻パネル２，２の相互を接合するようにしたものであり、その継手構成材として、面ファスナ９のほかに、互いに接合された対面する両側の面ファスナ９，９の外殻パネル表面から突出する部分を挟み込む状態で覆う継手部キャップ１０とを有する。
【００１３】
図１（Ｃ）におけるＳ部を図２（Ａ）に拡大して示すように、５枚の外殻パネル２の隣合う各辺の接合は、これらの辺に設けた外殻パネル間継手３で行う。各外殻パネル２の角部が集まる箇所は、図２および図３に示すように外殻パネル角部間継手１１で相互に接合する。この外殻パネル角部間継手１１は、外殻パネル２の角部先端付近に重なる円柱状のキャップ本体１２と、このキャップ本体１２の中心に突設されて各外殻パネル２の角部先端間に嵌まり込む先端密封用ピン１３とからなる。キャップ本体１２の外殻パネル２が重なる面には、外殻パネル２を接合する面ファスナ９を設ける。また、この外殻パネル重なり面には、外殻パネル間継手３の面ファスナ突出部分を逃がす逃がし溝１４が放射状に形成してある。図１（Ｃ）におけるＳ１部のように６枚の外殻パネル１の角部が集まる箇所では、図４に示すように、キャップ本体１２の外殻パネル重なり面に６本の逃がし溝１４を放射状に形成したものを使用する。
【００１４】
また、連通チューブ４は、図５に示すように外径面の両端の先細りのテーパ部４ａと、両端のテーパ部４ａ，４ａ間に形成した嵌合用円周溝４ｂとを有する。この連通チューブ４の取付けは、図５（Ａ），（Ｂ）に示すように、互いに接する両外殻パネル２，２の端面に弾性材料からなる接続口部材４１を設け、連通チューブ４の両端のテーパ部４ａを接続口部材４１の接続口４１ａから外殻パネル２内部に挿入し、連通チューブ４の嵌合用円周溝４ｂ内に両接続口部材４１，４１を重なり状態でかつ圧縮状態に挟み込むことにより行う。
【００１５】
前記外殻パネル２のうち、一部の外殻パネルは開口部外殻パネル２Ａ，２Ｂとする。開口部外殻パネル２Ａは、図６に示すように回転窓１５を設けた三角形状のものであり、窓開口１６を除く部分を上述した外殻パネル２と同様に内部に空気を封入することで所定厚さに膨らむ袋体としてある。袋体を構成する二重の膜部２ａ，２ａの間に引張糸７を密生状態に設けること、袋体の片面または両面に断熱材８を重ねて設けること、外周の端面に一部が開口部外殻パネル２Ａの表面から突出するように、外殻パネル間継手３の継手構成材となる面ファスナ９を設けることは一般の外殻パネル２と同様である。
【００１６】
回転窓１５は、窓開口１６に設けた円形の窓枠１７と、両側部に突設した支軸１８の回りに回転自在に支持した円形の透明戸１９とからなる。透明戸１９は、ガラス板または樹脂板等の透明板１９ａの周縁に樹脂製枠材１９ｂを装着したものである。透明戸１９の周縁部と、透明戸１９の閉じ状態で透明戸周縁部が当接する窓枠１７の表面や裏面には、互いに接合されて透明戸１９の閉じ状態を保つ面ファスナ９，９が設けてある。また、窓開口１６には、透明戸１９が内部で回転可能な半球状の網戸２０を設けている。これにより、透明戸１９を開いて換気可能な状態としても、屋外から蚊等の虫がドーム内に侵入するのを防止できる。また、網戸２０を開くことなく、透明戸１９を全開することができる。
【００１７】
別の開口部外殻パネル２Ｂは、図７に示すように一般の外殻パネル２と同様の三角形状のものであり、上向き三角形の両側辺となる逆Ｖ字状の開口枠２１と、この開口枠２１にヒンジ２２を介して開閉回動自在に取付けた両開き戸２３とを有する。開口枠２１の外周側の側面には外殻パネル間継手３の継手構成材となる面ファスナ９を外殻パネル２と同様に設ける。
【００１８】
両開き戸２３を構成する両側の戸２４，２４は、発泡ウレタン樹脂等の板状の断熱材をシート状の表面材で覆ったものからなる。これら各戸２４の合い欠き状に互いに合わさる部分２４ａ，２４ａのうち、一方の戸２４の合わさり部分２４ａには把手２５を設けている。この把手２５と、この把手２５に対向する他方の戸２４の合わさり部分２４ａとに、互いに接合される面ファスナ９，９を設けている。これにより、両開き戸２３を閉じ状態に保つことができる。把手２５の面ファスナ９の形成面は、図７（Ｃ）に示すように、把手２５の先端側が次第に他方の戸２４から離れる曲面としてある。これにより、両開き戸２３を開くときに面ファスナ９が一側部から次第に外れ、軽い操作で容易に開くことができる。各戸２４の合わさり部分２４ａの相互に接合する箇所には、気密性を保つためのパッキング２６が設けてある。
【００１９】
図８は、開口部外殻パネル２Ｂの他の例を示す。この開口部外殻パネル２Ｂは、片開き戸２７を設けた三角形状のものであり、開き戸開口２８を除く部分を上述した外殻パネル２と同様に内部に空気を封入することで所定厚さに膨らむ袋体としてある。袋体を構成する二重の膜部２ａ，２ａの間に引張糸７を密生状態に設けること、袋体の片面または両面に断熱材８を重ねて設けること、外周の端面に一部が開口部外殻パネル２Ｂの表面から突出するように、外殻パネル間継手３の継手構成材となる面ファスナ９を設けることは一般の外殻パネル２と同様である。片開き戸２７の一側縁は、ヒンジ２９等の回動支持部材を介して開き戸開口２８の一側縁に回動自在に設ける。
【００２０】
図１２は上述した外殻パネル間継手２等に使用する面ファスナ９の各例を示したものである。図１２（Ａ）の面ファスナ９は、ファスナ基材９ｃに半球形の頭部を有する無数の係合体９ａを設けたファスナ９Ａと、ファスナ基材９ｃにループ状の無数の係合体９ｂを植毛したファスナ９Ｂとの組み合わせからなる。図１２（Ｂ）の面ファスナ９は、ファスナ基材９ｃにフック状の無数の係合体９ａを設けたファスナ９Ａと、ファスナ基材９ｃにループ状の無数の係合体９ｂを設けたファスナ９Ｂとの組み合わせからなる。図１２（Ｃ）の面ファスナ９は、球形の頭部を有する無数の係合体９ａをファスナ基材９ｃに植毛した一組みのファスナ９Ａ，９Ｂからなる。面ファスナ９は、このように互いに係合する無数の係合体を有するものであれば良く、図１２（Ａ），（Ｂ）の例のように２種類のものを組み合わせるものであっても、また図１２（Ｃ）の例のように同じ種類のものを相互に接合するものであっても良い。
【００２１】
図１のように、このドーム状建物の床面には、内部に空気を封入することで膨らむ三角形状の多数のエアマット状床パネル３０を並設した床３１を設ける。これら各床パネル３０は、内部を空気を封入することで所定厚さに膨らむ袋体としてあり、外殻パネル２と同様に引張糸７が設けてある。各床パネル３０の各辺にも、図１１に示すように床パネル３０を相互に接合する床パネル間継手３Ａの面ファスナ９が設けてある。各床パネル３０は、図１１に示すように連通チューブ４で相互に連通させてあり、また、外殻パネル２と床パネル３０との間も連通チューブ４Ａで相互に連通させてある。これにより、図１のように給気ポンプ６から外殻パネル２，開口部外殻パネル２Ａに給気を行うときに、各床パネル３０への給気も同時に行える。
【００２２】
また、床パネル３０の上面には、面ファスナ９によって床仕上げ面材３２を接合する。この仕上げ面材３２は、例えば図９のように正六角形または正六角形を二分割した台形のタイルからなり、これらの組み合わせによって、モザイク状の模様を有する床仕上げ面を構成する。さらに、床パネル３０の一箇所または複数箇所、例えば図９のように複数の床パネル３０の角部が集中して接合される箇所や、床パネル３０が隣接する箇所には、ポール挿通穴３３を設ける。このポール挿通穴３３は、図１０に示すように支持円板３４の中央に突設した円形パイプ３５からなり、その円形パイプ３５の外周面には面ファスナ９が設けてある。この円形パイプ３５を、床３１の設置に先立ち、床パネル３０の角部が集中する箇所等に設置し、地面に敷設する床パネル３０の角部先端を円形パイプ３５の周面に接合させることにより、前記ポール挿通穴３３を床パネル３０の集中する箇所等に形成することができる。床パネル３０は、地面に差し込んだアンカーボルト３６に接続することにより、地面に固定する。この実施形態では、図１０のように支柱３７を前記ポール挿通穴３３に差し込んで立設することにより、ドーム状建物内の一部の領域に２階部分３８の床を設ける。また、螺旋階段３９の支柱３９ａを前記ポール挿通穴３３に差し込んで立設することにより、２階部分３８へ昇降する螺旋階段３９を設置する。
【００２３】
上記構成のドーム状建物の開口部構造によると、回転窓１５を有する開口部外殻パネル２Ａを隣の外殻パネル２に面ファスナ９で接合することにより、回転窓１５を有するドーム状建物１を容易に組立られ、撤去も容易に行うことができる。また、回転窓１５の窓枠１７に対する透明戸１９の閉じ状態を、面ファスナ９の接合によって保つので、閉じ状態を保つ構造も簡単なものとなる。また、相互に接合した各外殻パネル２も、空気を封入することにより簡単にドーム状に組み立てることができ、また各外殻パネル２の空気を抜くことにより簡単に解体できる。このため、短期間の使用を行って何度も再利用する仮設用建物として好適に使用でき、また折り畳み状態や各外殻パネルを分離した状態で保管や運搬することもでき、しかも軽量であって、運搬性や保管性にも優れる。さらに三角形状の外殻パネル２、開口部外殻パネル２Ａ，２Ｂがドーム状に並ぶ形状から、幾何学的な美麗な外観が得られる。
【００２４】
また、隣合う外殻パネル２の各辺に、両開き戸２３を有する開口部外殻パネル２Ｂを面ファスナ９で接合することにより、出入り用の両開き戸２３を有するドーム状建物１を容易に組立でき、撤去も容易に行うことができる。また、両開き戸２３の閉じ状態を、一方の戸２４の把手２５と、他方の戸２４とを面ファスナ９の接合により保つので、閉じ状態を保つ構造も簡単なものとなる。
【図面の簡単な説明】
【００２５】
【図１】（Ａ）はこの発明の一実施形態に係る開口部構造を有するドーム状建物の水平断面図、（Ｂ）は同建物の縦断面図、（Ｃ）は同建物の外観斜視図である。
【図２】（Ａ）は図１（Ｃ）のＳ部の拡大図、（Ｂ）は図２（Ａ）のII−II矢視断面図である。
【図３】（Ａ）は同Ｓ部における外殻パネル角部間継手の分解斜視図、（Ｂ）は同継手を構成する角部キャップの裏面図、（Ｃ）は同角部キャップの斜視図である。
【図４】図１（Ｃ）のＳ１部に使用する同外殻パネル角部間継手の裏面図である。
【図５】（Ａ）は挿通チューブの取付け前の状態を示す分解断面図、（Ｂ）は同挿通チューブの取付け状態を示す断面図、（Ｃ）は同挿通チューブの斜視図である。
【図６】（Ａ）は回転窓付き開口部外殻パネルの正面図、（Ｂ）は図６（Ａ）のVI−VI矢視断面図、（Ｃ）は同開口部外殻パネルの要部拡大縦断面図である。
【図７】（Ａ）は両開き戸付き開口部外殻パネルの正面図、（Ｂ）は図７（Ａ）のVII −VII 矢視断面図、（Ｃ）は同開口部外殻パネルの要部拡大水平断面図、（Ｄ）はドーム状建物の開口部付近を示す開き状態の斜視図である。
【図８】（Ａ）は片開き戸付き開口部外殻パネルの正面図、（Ｂ）は図８（Ａ）のVIIIａ−VIIIａ矢視断面図、（Ｃ）は（Ａ）のVIIIｂ−VIIIｂ矢視断面図である。
【図９】前記ドーム状建物における床の部分拡大図である。
【図１０】同床におけるポール挿通穴構造を示す斜視図である。
【図１１】同床構造を示す縦断面図である。
【図１２】前記ドーム状建物に使用する面ファスナの各例を示す側面図である。
【符号の説明】
【００２６】
１…ドーム状建物、２…外殻パネル、９…面ファスナ、１５…回転窓、１６…窓開口、１７…窓枠、１９…透明戸、２０…網戸、２１…開口枠、２３…両開き戸、２４…戸、２４ａ…合わさり部分、２５…把手
【図１】
2006083700.tif 000003
【図２】
2006083700.tif 000004
【図３】
2006083700.tif 000005
【図４】
2006083700.tif 000006
【図５】
2006083700.tif 000007
【図６】
2006083700.tif 000008
【図７】
2006083700.tif 000009
【図８】
2006083700.tif 000010
【図９】
2006083700.tif 000011
【図１０】
2006083700.tif 000012
【図１１】
2006083700.tif 000013
【図１２】
2006083700.tif 000014
【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
三角形状の多数の外殻パネルを並べてこれら外殻パネルの隣合う各辺を相互に接合し、この接合を面ファスナで行う殻構造のドーム状建物において、一部の外殻パネルを開口部外殻パネルとし、この開口部外殻パネルは、上向き三角形の両側辺となる逆Ｖ字状の開口枠と、この開口枠に開閉回動自在に取付けられた両開き戸とを有し、その両側の戸は断熱性のある材質のものとし、両側の戸の合わさり部で、一方の戸に把手を設け、この把手と他方の戸とに、互いに接合される面ファスナを設けたドーム状建物の開口部構造。
【請求項２】
前記把手の面ファスナの形成面を、把手の先端側が次第に他方の戸から離れる曲面とした請求項１記載のドーム状建物の開口部構造。
【請求項３】
前記ドーム状建物の各外殻パネルが、内部に空気を封入することで所定厚さに膨らむ袋体である請求項１または請求項２記載のドーム状建物の開口部構造。
【手続補正２】
【補正対象書類名】明細書
【補正対象項目名】全文
【補正方法】変更
【補正の内容】
【発明の詳細な説明】
【技術分野】
【０００１】
この発明は、バンガロー，コテージ等のレジャー用建物や、店舗、イベント会場用建物、あるいはフラワードーム等に応用されるドーム状建物の開口部構造に関する。
【背景技術】
【０００２】
コテージ、店舗、イベント会場、フラワードーム等の建物として、三角形状の面材部材を半球状に組み立てた殻構造のドーム状建物が提案されている。この種のドーム状建物は、構成が簡素で、その幾何学的外観が美麗なことから、近年構築が増えつつある。
【発明の開示】
【発明が解決しようとする課題】
【０００３】
しかし、この殻構造のドーム状建物においても、窓や出入り口等の開口は、一般的な建物と同様な構造であり、建物全体の簡素化に応じた簡素な構造のものとはなっていない。そのため、開口周辺の構築や撤去に手間がかかっている。
また、従来のこの種のドーム状建物は、いずれも一般には固定的に設置されるものであり、組立性や撤去性、運搬性についてはあまり考慮されていない。そのため、短期使用を目的とした仮設用建物等については、応用が難しい。
【０００４】
設増性や撤収性を高めた仮設用建物としては、大型テントや、室内の空気圧で膨らみ状態に保つ一重膜構造のドーム状建物があるが、前記テントでは居住性が悪く、また一重膜構造のドーム状建物は、その内圧を保つために、開閉可能な窓を設けることができず、出入り口にも特殊な構成が必要となる。
これらの課題を解消するものとして、本出願人は、前記三角形状の面材部材を、空気の封入で所定厚さに膨らむ袋体とし、これら面材部材を面ファスナで接合するものを試みた。しかし、その開口部構造について、構造の簡素化や、組立性、撤去性等につき、十分でなかった。
【０００５】
この発明の目的は、袋体からなる外殻パネルを用いたドーム状建物との調和が図れる簡素な構成の開口部構造を提供することである。
【課題を解決するための手段】
【０００６】
この発明のドーム状建物の開口部構造は、三角形状の多数の外殻パネルを並べてこれら外殻パネルの隣合う各辺を相互に接合し、この接合を面ファスナで行う殻構造のドーム状建物において、以下の構造としたものである。すなわち、一部の外殻パネルを開口部外殻パネルとし、この開口部外殻パネルは、上向き三角形の両側辺となる逆Ｖ字状の開口枠と、この開口枠に開閉回動自在に取付けられた両開き戸とを有するものとする。その両側の戸は断熱性のある材質のものとし、両側の戸の合わさり部で、一方の戸に把手を設ける。この把手と他方の戸とには、互いに接合される面ファスナを設ける。
この構成によると、ドーム状建物の一部の外殻パネルに代えて、前記開口部外殻パネルを用いることにより、簡単に出入り口となる開口を設けることができる。開口部外殻パネルは、逆Ｖ字状の開口枠と両開き戸とで構成されるため、構成が簡素であり、また両側の外殻パネルに接合されることで開口枠が補強されるため、開口枠にあまり強度が要求されず、これによっても簡素な構成となる。さらに、両開き戸の閉じ状態を、把手に設けられた面ファスナの接合により保つので、閉じ状態を保つ構造も簡単なものとなる。このため、袋体の外殻パネルを用いるドーム状建物に対して、全体に調和のとれた簡素な構成の開口構造となる。
【０００７】
前記構成において、前記把手の面ファスナの形成面を、把手の先端側が次第に他方の戸から離れる曲面としてもよい。この構成の場合、前記曲面のため、把手を引くことで、面ファスナが一側から次第に外れて行き、そのため軽い力で両開き戸を開くことができる。
【発明の効果】
【０００８】
この発明のドーム状建物の開口部構造は、逆Ｖ字形状の開口枠および両開き戸を有する開口部外殻パネルを設け、両側の戸を互いに閉じ状態に接合する面ファスナを把手に設けたたため、三角形状の外殻パネルを接合するドーム状建物において、簡素な構成の大きな出入り口を設けることができ、かつ閉じ状態を保つ構造も簡単なものとなる。
前記把手の面ファスナの形成面を、把手の先端側が次第に他方の戸から離れる曲面とした場合は、面ファスナによる両開き戸の接合および接合解除を円滑に行うことができる。
【発明を実施するための最良の形態】
【０００９】
この発明の一実施形態を図１ないし図１２と共に説明する。
図１（Ａ）〜（Ｃ）はこの実施形態に係る開口部構造を有するドーム状建物の水平断面図、縦断面図および上半部外観図である。このドーム状建物１は、三角形状の多数の外殻パネル２を半球状に並べて隣合う各辺を外殻パネル間継手３で相互に接合した殻構造のものである。各外殻パネル２は、内部に空気を封入することで所定厚さに膨らむ袋体としてある。また、隣合う外殻パネル２，２間は、図２（Ｂ）に示すように連通チューブ４で相互に連通させてある。連通チューブ４は外殻パネル２に着脱自在としてもよい。地面に近く配置される一つまたは複数の外殻パネル２には、給気チューブ５を介して給気ポンプ６を接続する。給気チューブ５も外殻パネル２に着脱可能とする。
【００１０】
前記外殻パネル２は、図２（Ｂ）のように袋体を構成する二重の膜部２ａ，２ａの間に、これら膜部２ａ，２ａの最大間隔を規制する引張糸７を密生状態に設けたものとする。また、袋体の片面または両面には、断熱材８を重ねて設ける。断熱材８としては、グラスウール，ポリエチレン樹脂，または発泡ポリスチレン、発泡ポリウレタン等の発泡樹脂を使用する。外殻パネル間継手４は、外殻パネル２の外周の端面に一部が外殻パネル２の表面から突出するように設けられた面ファスナ９で、隣合う外殻パネル２，２の相互を接合するようにしたものであり、その継手構成材として、面ファスナ９のほかに、互いに接合された対面する両側の面ファスナ９，９の外殻パネル表面から突出する部分を挟み込む状態で覆う継手部キャップ１０とを有する。
【００１１】
図１（Ｃ）におけるＳ部を図２（Ａ）に拡大して示すように、５枚の外殻パネル２の隣合う各辺の接合は、これらの辺に設けた外殻パネル間継手３で行う。各外殻パネル２の角部が集まる箇所は、図２および図３に示すように外殻パネル角部間継手１１で相互に接合する。この外殻パネル角部間継手１１は、外殻パネル２の角部先端付近に重なる円柱状のキャップ本体１２と、このキャップ本体１２の中心に突設されて各外殻パネル２の角部先端間に嵌まり込む先端密封用ピン１３とからなる。キャップ本体１２の外殻パネル２が重なる面には、外殻パネル２を接合する面ファスナ９を設ける。また、この外殻パネル重なり面には、外殻パネル間継手３の面ファスナ突出部分を逃がす逃がし溝１４が放射状に形成してある。図１（Ｃ）におけるＳ１部のように６枚の外殻パネル１の角部が集まる箇所では、図４に示すように、キャップ本体１２の外殻パネル重なり面に６本の逃がし溝１４を放射状に形成したものを使用する。
【００１２】
また、連通チューブ４は、図５に示すように外径面の両端の先細りのテーパ部４ａと、両端のテーパ部４ａ，４ａ間に形成した嵌合用円周溝４ｂとを有する。この連通チューブ４の取付けは、図５（Ａ），（Ｂ）に示すように、互いに接する両外殻パネル２，２の端面に弾性材料からなる接続口部材４１を設け、連通チューブ４の両端のテーパ部４ａを接続口部材４１の接続口４１ａから外殻パネル２内部に挿入し、連通チューブ４の嵌合用円周溝４ｂ内に両接続口部材４１，４１を重なり状態でかつ圧縮状態に挟み込むことにより行う。
【００１３】
前記外殻パネル２のうち、一部の外殻パネルは開口部外殻パネル２Ａ，２Ｂとする。開口部外殻パネル２Ａは、図６に示すように回転窓１５を設けた三角形状のものであり、窓開口１６を除く部分を上述した外殻パネル２と同様に内部に空気を封入することで所定厚さに膨らむ袋体としてある。袋体を構成する二重の膜部２ａ，２ａの間に引張糸７を密生状態に設けること、袋体の片面または両面に断熱材８を重ねて設けること、外周の端面に一部が開口部外殻パネル２Ａの表面から突出するように、外殻パネル間継手３の継手構成材となる面ファスナ９を設けることは一般の外殻パネル２と同様である。
【００１４】
回転窓１５は、窓開口１６に設けた円形の窓枠１７と、両側部に突設した支軸１８の回りに回転自在に支持した円形の透明戸１９とからなる。透明戸１９は、ガラス板または樹脂板等の透明板１９ａの周縁に樹脂製枠材１９ｂを装着したものである。透明戸１９の周縁部と、透明戸１９の閉じ状態で透明戸周縁部が当接する窓枠１７の表面や裏面には、互いに接合されて透明戸１９の閉じ状態を保つ面ファスナ９，９が設けてある。また、窓開口１６には、透明戸１９が内部で回転可能な半球状の網戸２０を設けている。これにより、透明戸１９を開いて換気可能な状態としても、屋外から蚊等の虫がドーム内に侵入するのを防止できる。また、網戸２０を開くことなく、透明戸１９を全開することができる。      
【００１５】
別の開口部外殻パネル２Ｂは、図７に示すように一般の外殻パネル２と同様の三角形状のものであり、上向き三角形の両側辺となる逆Ｖ字状の開口枠２１と、この開口枠２１にヒンジ２２を介して開閉回動自在に取付けた両開き戸２３とを有する。開口枠２１の外周側の側面には外殻パネル間継手３の継手構成材となる面ファスナ９を外殻パネル２と同様に設ける。
【００１６】
両開き戸２３を構成する両側の戸２４，２４は、発泡ウレタン樹脂等の板状の断熱材をシート状の表面材で覆ったものからなる。これら各戸２４の合い欠き状に互いに合わさる部分２４ａ，２４ａのうち、一方の戸２４の合わさり部分２４ａには把手２５を設けている。この把手２５と、この把手２５に対向する他方の戸２４の合わさり部分２４ａとに、互いに接合される面ファスナ９，９を設けている。これにより、両開き戸２３を閉じ状態に保つことができる。把手２５の面ファスナ９の形成面は、図７（Ｃ）に示すように、把手２５の先端側が次第に他方の戸２４から離れる曲面としてある。これにより、両開き戸２３を開くときに面ファスナ９が一側部から次第に外れ、軽い操作で容易に開くことができる。各戸２４の合わさり部分２４ａの相互に接合する箇所には、気密性を保つためのパッキング２６が設けてある。
【００１７】
図８は、この発明とは異なるが、開口部外殻パネル２Ｂの他の例を示す。この開口部外殻パネル２Ｂは、片開き戸２７を設けた三角形状のものであり、開き戸開口２８を除く部分を上述した外殻パネル２と同様に内部に空気を封入することで所定厚さに膨らむ袋体としてある。袋体を構成する二重の膜部２ａ，２ａの間に引張糸７を密生状態に設けること、袋体の片面または両面に断熱材８を重ねて設けること、外周の端面に一部が開口部外殻パネル２Ｂの表面から突出するように、外殻パネル間継手３の継手構成材となる面ファスナ９を設けることは一般の外殻パネル２と同様である。片開き戸２７の一側縁は、ヒンジ２９等の回動支持部材を介して開き戸開口２８の一側縁に回動自在に設ける。
【００１８】
図１２は上述した外殻パネル間継手２等に使用する面ファスナ９の各例を示したものである。図１２（Ａ）の面ファスナ９は、ファスナ基材９ｃに半球形の頭部を有する無数の係合体９ａを設けたファスナ９Ａと、ファスナ基材９ｃにループ状の無数の係合体９ｂを植毛したファスナ９Ｂとの組み合わせからなる。図１２（Ｂ）の面ファスナ９は、ファスナ基材９ｃにフック状の無数の係合体９ａを設けたファスナ９Ａと、ファスナ基材９ｃにループ状の無数の係合体９ｂを設けたファスナ９Ｂとの組み合わせからなる。図１２（Ｃ）の面ファスナ９は、球形の頭部を有する無数の係合体９ａをファスナ基材９ｃに植毛した一組みのファスナ９Ａ，９Ｂからなる。面ファスナ９は、このように互いに係合する無数の係合体を有するものであれば良く、図１２（Ａ），（Ｂ）の例のように２種類のものを組み合わせるものであっても、また図１２（Ｃ）の例のように同じ種類のものを相互に接合するものであっても良い。
【００１９】
図１のように、このドーム状建物の床面には、内部に空気を封入することで膨らむ三角形状の多数のエアマット状床パネル３０を並設した床３１を設ける。これら各床パネル３０は、内部を空気を封入することで所定厚さに膨らむ袋体としてあり、外殻パネル２と同様に引張糸７が設けてある。各床パネル３０の各辺にも、図１１に示すように床パネル３０を相互に接合する床パネル間継手３Ａの面ファスナ９が設けてある。各床パネル３０は、図１１に示すように連通チューブ４で相互に連通させてあり、また、外殻パネル２と床パネル３０との間も連通チューブ４Ａで相互に連通させてある。これにより、図１のように給気ポンプ６から外殻パネル２，開口部外殻パネル２Ａに給気を行うときに、各床パネル３０への給気も同時に行える。
【００２０】
また、床パネル３０の上面には、面ファスナ９によって床仕上げ面材３２を接合する。この仕上げ面材３２は、例えば図９のように正六角形または正六角形を二分割した台形のタイルからなり、これらの組み合わせによって、モザイク状の模様を有する床仕上げ面を構成する。さらに、床パネル３０の一箇所または複数箇所、例えば図９のように複数の床パネル３０の角部が集中して接合される箇所や、床パネル３０が隣接する箇所には、ポール挿通穴３３を設ける。このポール挿通穴３３は、図１０に示すように支持円板３４の中央に突設した円形パイプ３５からなり、その円形パイプ３５の外周面には面ファスナ９が設けてある。この円形パイプ３５を、床３１の設置に先立ち、床パネル３０の角部が集中する箇所等に設置し、地面に敷設する床パネル３０の角部先端を円形パイプ３５の周面に接合させることにより、前記ポール挿通穴３３を床パネル３０の集中する箇所等に形成することができる。床パネル３０は、地面に差し込んだアンカーボルト３６に接続することにより、地面に固定する。この実施形態では、図１０のように支柱３７を前記ポール挿通穴３３に差し込んで立設することにより、ドーム状建物内の一部の領域に２階部分３８の床を設ける。また、螺旋階段３９の支柱３９ａを前記ポール挿通穴３３に差し込んで立設することにより、２階部分３８へ昇降する螺旋階段３９を設置する。
【００２１】
上記構成のドーム状建物の開口部構造によると、回転窓１５を有する開口部外殻パネル２Ａを隣の外殻パネル２に面ファスナ９で接合することにより、回転窓１５を有するドーム状建物１を容易に組立られ、撤去も容易に行うことができる。また、回転窓１５の窓枠１７に対する透明戸１９の閉じ状態を、面ファスナ９の接合によって保つので、閉じ状態を保つ構造も簡単なものとなる。また、相互に接合した各外殻パネル２も、空気を封入することにより簡単にドーム状に組み立てることができ、また各外殻パネル２の空気を抜くことにより簡単に解体できる。このため、短期間の使用を行って何度も再利用する仮設用建物として好適に使用でき、また折り畳み状態や各外殻パネルを分離した状態で保管や運搬することもでき、しかも軽量であって、運搬性や保管性にも優れる。さらに三角形状の外殻パネル２、開口部外殻パネル２Ａ，２Ｂがドーム状に並ぶ形状から、幾何学的な美麗な外観が得られる。
【００２２】
また、隣合う外殻パネル２の各辺に、両開き戸２３を有する開口部外殻パネル２Ｂを面ファスナ９で接合することにより、出入り用の両開き戸２３を有するドーム状建物１を容易に組立でき、撤去も容易に行うことができる。また、両開き戸２３の閉じ状態を、一方の戸２４の把手２５と、他方の戸２４とを面ファスナ９の接合により保つので、閉じ状態を保つ構造も簡単なものとなる。
【図面の簡単な説明】
【００２３】
【図１】（Ａ）はこの発明の一実施形態に係る開口部構造を有するドーム状建物の水平断面図、（Ｂ）は同建物の縦断面図、（Ｃ）は同建物の外観斜視図である。
【図２】（Ａ）は図１（Ｃ）のＳ部の拡大図、（Ｂ）は図２（Ａ）のII−II矢視断面図である。
【図３】（Ａ）は同Ｓ部における外殻パネル角部間継手の分解斜視図、（Ｂ）は同継手を構成する角部キャップの裏面図、（Ｃ）は同角部キャップの斜視図である。
【図４】図１（Ｃ）のＳ１部に使用する同外殻パネル角部間継手の裏面図である。
【図５】（Ａ）は挿通チューブの取付け前の状態を示す分解断面図、（Ｂ）は同挿通チューブの取付け状態を示す断面図、（Ｃ）は同挿通チューブの斜視図である。
【図６】（Ａ）は回転窓付き開口部外殻パネルの正面図、（Ｂ）は図６（Ａ）のVI−VI矢視断面図、（Ｃ）は同開口部外殻パネルの要部拡大縦断面図である。
【図７】（Ａ）は両開き戸付き開口部外殻パネルの正面図、（Ｂ）は図７（Ａ）のVII −VII 矢視断面図、（Ｃ）は同開口部外殻パネルの要部拡大水平断面図、（Ｄ）はドーム状建物の開口部付近を示す開き状態の斜視図である。
【図８】（Ａ）は片開き戸付き開口部外殻パネルの正面図、（Ｂ）は図８（Ａ）のVIIIａ−VIIIａ矢視断面図、（Ｃ）は（Ａ）のVIIIｂ−VIIIｂ矢視断面図である。
【図９】前記ドーム状建物における床の部分拡大図である。
【図１０】同床におけるポール挿通穴構造を示す斜視図である。
【図１１】同床構造を示す縦断面図である。
【図１２】前記ドーム状建物に使用する面ファスナの各例を示す側面図である。
【符号の説明】
【００２４】
１…ドーム状建物、２…外殻パネル、９…面ファスナ、１５…回転窓、１６…窓開口、１７…窓枠、１９…透明戸、２０…網戸、２１…開口枠、２３…両開き戸、２４…戸、２４ａ…合わさり部分、２５…把手